(57)【要約】【課題】切断負荷の急激な増加によって過剰な外力が外刃に作用するのを解消し、以て外刃を内刃に対して常に密着できるようにし、負荷変動に伴う切れ味の低下や外刃の破損を解消できるロータリー式電気かみそりを提供する。【解決手段】外刃１６は、網刃体９８と、網刃体９８の前後縁を固定して逆Ｕ字状に保形する外刃保持枠９９とでカセット化する。外刃ホルダー１２の内面前後と前後中央とのそれぞれに、前ばねユニット１１３、中央ばねユニット１１４、後ばねユニット１１５を配置する。各外刃保持枠９９の前後縁は、それぞれ前ばねユニット１１３と中央ばねユニット１１４、および中央ばねユニット１１４と後ばねユニット１１５で、網刃体９８が内刃１５に密着する向きに移動付勢して、負荷変動に伴う外刃１６の姿勢変化や張力変化を各ばねユニット１１３・１１４・１１５で緩和吸収し、過剰な外力が外刃１６に作用するのを防止する。【選択図】        図１
2004236836.tif 000002
【特許請求の範囲】
【請求項１】
かみそりヘッド２の前後に、回転自在に軸支される内刃１５と、内刃１５に外接する外刃１６とをそれぞれ配置してあるロータリー式の電気かみそりであって、
外刃１６が、シート状の網刃体９８と、網刃体９８の前後縁を固定して、網刃体９８を逆Ｕ字状に保形する外刃保持枠９９とを含んでカセット化されており、外刃ホルダー１２の内面前後と前後中央のそれぞれに、外刃保持枠９９を介して網刃体９８を内刃１５に密着付勢する前ばねユニット１１３、中央ばねユニット１１４、後ばねユニット１１５が配置されており、
前後に隣接する一対の外刃保持枠９９の前後縁が、それぞれ前ばねユニット１１３と中央ばねユニット１１４、および中央ばねユニット１１４と後ばねユニット１１５で、網刃体９８を内刃１５に密着する向きに移動付勢していることを特徴とするロータリー式電気かみそり。
【請求項２】
前ばねユニット１１３および後ばねユニット１１５が、外刃ホルダー１２で上下動のみ自在に案内支持される付勢枠１１７と、付勢枠１１７を押し下げ付勢するばね体１１８とを含み、
付勢枠１１７と外刃保持枠９９とが、外刃保持枠９９を下降移動する向きにのみ相対移動できる状態で連結されており、
中央ばねユニット１１４が、外刃ホルダー１２で上下動のみ自在に案内支持される左右一対の付勢ピース１３２と、付勢ピース１３２を押し下げ付勢するばね体１３３とを含み、
付勢ピース１３２と外刃保持枠９９とが、外刃保持枠９９を下降移動する向きにのみ相対移動できる状態で連結されている請求項１記載のロータリー式電気かみそり。
【請求項３】
前後の内刃１５の間にセンター刃１７が配置されており、
外刃ホルダー１２の内面左右に、中央ばねユニット１１４を上下動のみ自在に案内支持するばね受アーム９１が、左右間隔Ｗを介して左右対向状に突設されており、
左右のばね受アーム９１が、ばね受アーム９１の前後面に固定した金属製の補強板１３９で橋絡されており、
振動子４８の駆動軸６８が、補強板１３９で囲まれた前記左右間隔Ｗを縦通する状態で配置されて、センター刃１７の連結片５３に係合している請求項１または２記載のロータリー式電気かみそり。
【請求項４】
前ばねユニット１１３、および後ばねユニット１１５のばね体１１８が金属製のプレス成形品で形成されており、
ばね体１１８が、付勢枠１１７の片面に接合されて付勢枠１１７を補強する補強壁１２４と、補強壁１２４の上縁に折り曲げ形成された左右一対のばね腕１２５とを一体に備えており、
中央ばねユニット１１５のばね体１３３が、付勢ピース１３２とばね受アーム９１との間に配置した圧縮コイル形のばねからなる請求項２または３記載のロータリー式電気かみそり。
【請求項５】
外刃ホルダー１２が、外ケース１２ａと、外刃１６およびセンター刃１７が組み付けられる内ケース１２ｂとで構成されており、
内ケース１２ｂと外ケース１２ａとは、分離可能に係合連結されており、
前後の外刃１６とセンター刃１７とが、内ケース１２ｂに対して個別に分離可能に係合装着されている請求項１から４のいずれかに記載のロータリー式電気かみそり。
【発明の詳細な説明】
【０００１】
【発明の属する技術分野】
本発明は、前後一対のロータリー内刃と、これに接する外刃とを備えている電気かみそりに関し、外刃の緊張構造を改良したものである。
【０００２】
【従来の技術】
ロータリー式電気かみそりにおける外刃の緊張構造に関して、前後に隣接する外刃を前端ピース、中央ピース、後端ピースの三者で緊張することは公知である（特許文献１参照）。そこでは中央ピースおよび後端ピースに、前後の外刃の後縁を固定し、前端ピースおよび中央ピースに設けた弾性腕に、前後の外刃の前縁を固定して、切断負荷の急増によって外刃が内刃の回転方向下手側（以下、単に回転下手側という）へ引き摺られて弛むのを防止し、以て負荷変動時の切れ味の低下を防止している。
【０００３】
【特許文献１】
特開平９−３８３５３号公報（段落番号００１６、図１９、図２０）
【０００４】
【発明が解決しようとする課題】
特許文献１における外刃は、外刃の回転上手側の端縁を固定し、回転下手側の端縁のみを弾性腕で引っ張って、外刃を回転下手側にのみ引っ張り付勢する緊張構造になっている。そのため、切断負荷が急激に増加し、外刃に過剰な外力が作用するような場合に、一瞬とは言えその切断刃面が内刃の歯面から浮き離れ、切れ味が損なわれることがある。最悪の場合には、過大な負荷が作用するとき、外刃の一部が破損するおそれがある。外刃を片側にのみ引っ張り付勢するので、充分な応答速度が得られにくい。プラスチック成形された弾性腕が自由状態へ復帰する際の弾性力で外刃を一方向へ引き寄せるので、弛みの吸収ストロークが小さいうえ、緊張力（弾性力）が急速に減少するのを避けられず、そのことも応答度が遅い一因になっている。
【０００５】
一対の内刃は小さな間隔を介して前後に隣接しているが、この隙間の真下に中央ピースを配置するので、中央ピースが邪魔になってセンター刃を駆動するための動力伝動系を配置する余地がなく、従って前後一対の内刃の間にセンター刃を配置した電気かみそりを構成できず、電気かみそりをシリーズ商品化するうえで制約がある。
【０００６】
本発明の目的は、外刃の前後縁のそれぞれを独立した緊張具によって引っ張り付勢することにより、負荷変動に追随して外刃を上下動ないし前後傾動させて、過剰な外力が外刃に作用するのを吸収緩和できる、ロータリー式電気かみそりを提供することにある。本発明の目的は、外刃に過剰な切断負荷が作用するのを解消しながら、外刃を内刃に対して常に密着できるようにし、以て負荷変動に伴う切れ味の低下を解消することにある。本発明の目的は、前後一対の内刃の間に往復動刃を設けることができ、従って、機能が異なる電気かみそりを多種類用意してシリーズ商品化することができるようにすることにある。
【０００７】
【課題を解決するための手段】
本発明の電気かみそりにおいては、カセット化した外刃１６の前後を、前ばねユニット１１３と中央ばねユニット１１４、および中央ばねユニット１１４と後ばねユニット１１５で押し下げ付勢して、外刃１６をこれが負荷変動に追随して上下動ないし前後傾動できるように支持する。
【０００８】
具体的には、図１に示すように、かみそりヘッド２の前後に、回転自在に軸支される内刃１５と、内刃１５に外接する外刃１６とがそれぞれ配置してあるロータリー式の電気かみそりにおいて、外刃１６は、シート状の網刃体９８と、網刃体９８の前後縁を固定して、網刃体９８を逆Ｕ字状に保形する外刃保持枠９９とを含んでカセット化されている。外刃ホルダー１２の内面前後と前後中央のそれぞれに、外刃保持枠９９を介して網刃体９８を内刃１５に密着付勢する前ばねユニット１１３、中央ばねユニット１１４、後ばねユニット１１５を配置する。前後に隣接する一対の外刃保持枠９９の前後縁は、それぞれ前ばねユニット１１３と中央ばねユニット１１４、および中央ばねユニット１１４と後ばねユニット１１５で、網刃体９８をこれが内刃１５に密着する向きに移動付勢することを特徴とする。
【０００９】
前ばねユニット１１３および後ばねユニット１１５は、外刃ホルダー１２で上下動のみ自在に案内支持される付勢枠１１７と、付勢枠１１７を押し下げ付勢するばね体１１８とを含み、付勢枠１１７と外刃保持枠９９とは、外刃保持枠９９を下降移動する向きにのみ相対移動できる状態で連結されている。中央ばねユニット１１４は、外刃ホルダー１２で上下動のみ自在に案内支持される左右一対の付勢ピース１３２と、付勢ピース１３２を押し下げ付勢するばね体１３３とを含み、付勢ピース１３２と外刃保持枠９９とが、外刃保持枠９９を下降移動する向きにのみ相対移動できる状態で連結されている。
【００１０】
図１５および図１６に示すように、前後の内刃１５の間にはセンター刃１７を配置する。外刃ホルダー１２の内面左右には、中央ばねユニット１１４を上下動のみ自在に案内支持するばね受アーム９１が、左右間隔Ｗを介して左右対向状に突設されており、左右のばね受アーム９１が、ばね受アーム９１の前後面に固定した金属製の補強板１３９で橋絡されており、振動子４８の駆動軸６８が、補強板１３９で囲まれた前記左右間隔Ｗを縦通する状態で配置されて、センター刃１７の連結片５３に係合している。
【００１１】
前ばねユニット１１３、および後ばねユニット１１５のばね体１１８は金属製のプレス成形品で形成する。図１２において、そのばね体１１８は、付勢枠１１７の片面に接合されて付勢枠１１７を補強する補強壁１２４と、補強壁１２４の上縁に折り曲げ形成された左右一対のばね腕１２５とを一体に備えている。中央ばねユニット１１５のばね体１３３は、図１に示すように、付勢ピース１３２とばね受アーム９１との間に配置した圧縮コイル形のばねからなる。
【００１２】
図９および図１０において外刃ホルダー１２は、外ケース１２ａと、外刃１６およびセンター刃１７が組み付けられる内ケース１２ｂとで構成されており、内ケース１２ｂと外ケース１２ａとが、分離可能に係合連結されており、前後の外刃１６とセンター刃１７とが、内ケース１２ｂに対して個別に分離可能に係合装着されている。
【００１３】
【発明の作用効果】
本発明に係る電気かみそりによれば、外刃１６は、シート状の網刃体９８と、網刃体９８を逆Ｕ字状に保形する外刃保持枠９９などでカセット状に構成した。つまり、網刃体９８の前後縁を外刃保持枠９９に固定して、網刃体９８の前後端縁が遊動するのを規制した。そのうえで、外刃ホルダー１２の内面前後と前後中央とのそれぞれに前ばねユニット１１３、中央ばねユニット１１４、後ばねユニット１１５を設けて、前後の外刃１６の前後縁を、前ばねユニット１１３と中央ばねユニット１１４、および中央ばねユニット１１４と後ばねユニット１１５で緊張付勢して、外刃１６の全体が上下動し、あるいは前後傾動することにより、急激な負荷の変動などによって、過剰な外力が外刃に作用するのを吸収緩和することにより、網刃体９８を内刃１５に常に密着付勢できるようにした。
【００１４】
従って、本発明によれば、網刃体９８に過剰な外力が作用するのを一掃して、シャープな切れ味を維持できるうえ、過大な負荷により網刃体９８一部が破損するのを解消できる。外刃１６前後縁は、各ばねユニット１１３・１１４・１１５で両側から引っ張り付勢するので、外刃１６の姿勢や張力の変化に対応して、各ばねユニット１１３・１１４・１１５が弾性力を速やかに発揮し応答度を向上できる。外刃１６をカセット化してあるので、その組み付け作業や交換作業を簡便に行える（請求項１）。
【００１５】
付勢枠１１７とばね体１１８とで前後のばねユニット１１３・１１５が構成され、付勢ピース１３２とばね体１３３とで中央ばねユニット１１４が構成されていると、各ばね体１１８・１３３の張力、弾性の変化率、あるいはばねストロークなどのばね特性を必要に応じて自由に設定できるので、切断負荷の変動幅が大きい場合にも、網刃体９８を切断負荷の変動に確実に追随変位させながら内刃１５に密着し続けることができ、従来の外刃緊張構造に比べてひげ切断を軽快に、しかも確実に行える。
【００１６】
中央ばねユニット１１５が、左右一対の付勢ピース１３２およびばね体１３３で構成されていると、外刃１６が左右に傾動するとき、左右の付勢ピース１３２が個別に上下動して外刃１６の傾動を吸収するので、網刃体９８に内刃１５に対する密着度が向上して切れ味を向上できる。付勢枠１１７と外刃保持枠９９、および付勢ピース１３２と外刃保持枠９９のそれぞれが、外刃保持枠９９を下降移動する向きにのみ相対移動できる状態で連結したのは、網刃体９８が弛み方向へ引っ張られるのを阻止しながら、外刃保持枠９９の付勢枠１１７および付勢ピース１３２に対する組み付け作業を容易化することと、外刃１６の間に落ち込んだ毛屑を、連結部分に設けられる長穴１０５・１０６を介して外刃ホルダー１２の内部空間へ落下させて、毛屑が前後の外刃１６の間に詰まるのを防ぐためである。外刃ホルダー１２を水洗いするときは、流水が先の長穴１０５・１０６を内外に流下して、長穴１０５・１０６および穴周辺に付着している毛屑を洗い流すことができる利点もある（請求項２）。
【００１７】
外刃ホルダー１２の内面左右に設けたばね受アーム９１どうしが、その前後面に固定した金属製の補強板１３９で橋絡されていると、片持ち梁状に突設したばね受アーム９１の構造強度を向上できるので、ばね受アーム９１に組み付けられる付勢ピース１３２や、ばね受アーム９１でスライド案内される板ばね１１０を安定的に支持して、付勢ピース１３２および可動内刃５２の動作が円滑化する。
【００１８】
両ばね受アーム９１間の左右間隔Ｗを利用して、振動子４８の駆動軸６８をセンター刃１７の連結片５３に係合して、センター刃１７を往復駆動できるので、前後の内刃１５間に中央ばねユニット１１４が設けてあるにもかかわらず、センター刃１７を備えた電気かみそりを問題なく構成できる。従って、センター刃１７の有無など、機能が異なる電気かみそりを多種類用意してシリーズ商品化し、ユーザーの購買意欲を喚起することができる。センター刃１７に過剰な負荷が作用すると、振動子４８の駆動軸６８が前後に振れようとするが、その前後面を補強板１３９で支持して駆動軸６８が前後に振れるのを規制でき、従ってセンター刃１７を常に適正に駆動できる（請求項３）。
【００１９】
前後のばねユニット１１３・１１５のばね体１１８が、補強壁１２４と左右一対のばね腕１２５とを一体に備えた金属製のプレス成形品で形成されていると、補強壁１２４で付勢枠１１７を補強して、付勢枠１１７を可能な限り薄く形成できる。従って、前後のばねユニット１１３・１１５を組み付けるのに必要な空間を小さくでき、その分だけ外刃ホルダー１２をコンパクト化し、あるいは外刃ホルダー１２内により多くの部品を集約配置できる。補強壁１２４と一対のばね腕１２５とを一体に形成するので、前後のばねユニット１１３・１１５の構成部品点数を削減できる利点もある（請求項４）。
【００２０】
外刃１６およびセンター刃１７が組み付けられる内ケース１２ｂと、外ケース１２ａとで外刃ホルダー１２を構成し、内ケース１２ｂを外ケース１２ａに対して分離可能に係合固定し、さらに前後の外刃１６とセンター刃１７とを、内ケース１２ｂに対して個別に分離可能に係合装着すると、外刃１６、センター刃１７、内ケース１２ｂの三者をまとめて交換できるし、あるいはセンター刃１７と、前または後の外刃１６をそれぞれ個別に交換することができるので、各部材の損耗状況や破損状況に応じて必要な部材のみを交換できて経済的である。
【００２１】
【実施例】
図１ないし図１６は本発明に係るロータリー式電気かみそりの実施例を示す。図２ないし図４において電気かみそりは、本体ケース１とその上部に設けたかみそりヘッド２と、本体ケース１に収容される電装品ユニット３などを主な構造体としている。
【００２２】
本体ケース１の前面には、モーター起動用のスイッチボタン５、そのロックボタン６、および運転モードを切り換えるセレクトボタン７などを含む切り換え操作具と、表示具とを設けてある。表示具は、セレクトボタン７の上側に設けた充電灯８と、電池残量表示灯９と、ケース上部に設けられて運転モードに応じて色が変化する逆Ｕ字状のモード表示灯１０と、ひげセンサーのオンオフに連動して点灯するセンサー灯１１の４種を含む。符号１２は外刃ホルダーである。
【００２３】
図３において本体ケース１の背面側には、きわぞり刃（往復動刃）１３と、きわぞり刃１３を駆動位置へ押し上げ操作するスライドノブ１４とを設けてある。かみそりヘッド２には、横軸まわりに回転する前後一対ずつの内刃１５と、内刃１５に密着する前後一対の外刃１６と、一対の内刃１５の間に配置されるセンター刃（往復動刃）１７と、これらを駆動する駆動機構などを配置してある。かみそりヘッド２の左右には、かみそりヘッド２を前後揺動不能にロック固定するためのロックノブ１８と、外刃ホルダー１２をロック解除操作する左右一対の解除ボタン１９などが設けてある。
【００２４】
図４において電装品ユニット３は、内フレーム２５と、内フレーム２５の前面に装着される回路基板２６と、回路基板２６の背面側に配置される左右一対の２次電池２７と、回路基板２６に組み付けられる電源スイッチ、および各種の表示用ＬＥＤ等で構成してある。
【００２５】
電装品ユニット３を本体ケース１内に装着した後、下面開口を塞ぐ底ケース２１と内フレーム２５とをビスで締結することにより、本体ケース１と、電装品ユニット３と、底ケース２１の３者を分離不能に一体化できる。この組み立て状態において、電装品ユニット３を含むケース内空間は、ケースパッキン２８で防水されている（図５参照）。かみそりヘッド２は、その下面に固定した浮動フレーム２９を介して内フレーム２５に装着され、前後左右および上下の全方位へフロート自在に支持されている。
【００２６】
図２において、かみそりヘッド２には、モーター３１と、遊星歯車機構からなる減速機構３２とをユニット化した動力モジュールと、減速機構３２で減速したモーター動力を内刃１５に伝える巻掛伝動機構３３と、モーター動力を左右方向の往復動力に変換してきわぞり刃１３、およびセンター刃１７に伝える動力系などが設けてある。
【００２７】
図５において巻掛伝動機構３２は、減速機構の出力軸３４に固定される原動プーリー３５と、終段軸３６に固定される従動プーリー３７と、両プーリー３５・３６に巻き掛け装着されるタイミングベルト３８などで構成する。終段軸３６に設けた終段ギヤ３９で、前後の内刃１５を同時に回転駆動する。
【００２８】
モーター３１の回転動力を左右方向の往復動作に変換するために起振構造を設けてある。図６においてその起振構造は、動力モジュールの側面に固定されるガイド板４０と、モーター３１の出力軸に固定される駆動カム４１と、駆動カム４１で上下に往復駆動される受動ピース４２と、受動ピース４２の上下動作を左右動作に直接変換する逆Ｌ字状の伝動ベルト４３と、伝動ベルト４３の左右動作を受け継ぐスライド片４４とを含む。伝動ベルト４３は、ポリイミド繊維で強化されたポリウレタン製のタイミングベルトからなり、その屈曲部の内外が変向ギヤ４５と遊転ローラー４６とで変向案内されている。
【００２９】
図６においてスライド片４４に伝動された往復動力は、その上面中央に突設した駆動ピン４７と振動子４８とからなる往復動力伝動系を介してセンター刃１７に伝動され、同時にスライド片４４の後面に設けた駆動アーム４９を介してきわぞり刃１３に伝動される。
【００３０】
図７においてかみそりヘッド２は、動力モジュールの上面に装着固定されるヘッドフレーム５５と、ヘッドフレーム５５で前後揺動可能に支持される揺動枠５６、および内刃支持枠５７と、内刃支持枠５７に対して前後面からそれぞれ着脱可能に装着される内刃ユニット５８と、内刃支持枠５５に着脱自在に装着される外刃ホルダー１２と、内刃支持枠５７の内部に収容される振動子４８などで構成してある。ヘッドフレーム５５、揺動枠５６、および内刃支持枠５７はそれぞれプラスチック成形品である。
【００３１】
ヘッドフレーム５５は、下向きに開口するケース部６０と、ケース部６０の上面両側に立設した側壁６１とを備えており、左右の側壁６１で揺動枠５６を前後揺動可能に軸支する。そのために、ケース部６０の上面壁は揺動枠５６の揺動軌跡に沿って下凹み円弧状に形成されている。四角枠状に形成される揺動枠５６の上面左右には、上端に揺動ボス６２を備えた揺動腕６３が立設されており、先の側壁６１で揺動ボスを前後揺動自在に軸支する。
【００３２】
これにより、ヘッドフレーム５５を除く、揺動枠５６および内刃支持枠５７などの各部材が前後方向に揺動できる。しかし、ロックノブ１８を押し下げると揺動できない状態になる。片方の揺動ボス６２に、終段軸３６と終段ギヤ３９とが組み込まれている（図６参照）。振動子４８の左右両端の取付部は揺動枠５６に固定してある。
【００３３】
内刃支持枠５７は、下向きに開口する角箱状のカバー部６５と、カバー部６５の上面左右に突設されるトンネル断面状のアーチ部６６とを一体に備えており、揺動枠５６に上面側から係合装着されてヘッドフレーム５５の上面を側壁６１ごとカバーする。カバー部６５の上面４箇所には、内刃ユニット５８を前側、あるいは後側から係合装着するための装着部６７を形成してある。
【００３４】
内刃支持枠５７を揺動枠５６に装着することにより、振動子４８の駆動軸６８のみがカバー部６５の上面の開口から上方へ突出するが、この開口と駆動軸６８との間はパッキン６９で封止する（図６参照）。内刃支持枠５７のアーチ部６６の外側壁に、先に述べたロックノブ１８と解除ボタン１９とが組み込まれる。
【００３５】
図７および図８において内刃ユニット５８は、左右に長いＨ字状の内刃フレーム７２と、内刃フレーム７２で軸支される内刃１５と、内刃１５の両側端に突設される内刃軸７３と、片方の内刃軸７３に固定した内刃ギヤ７４とからなる。内刃フレーム７２の左右の脚下部には、先の装着部６７と係合する係合溝７５が左右対向状に設けてある。内刃１５は、円柱状のプラスチック製ホルダーの周面に、一群の金属切刃をスパイラル状に埋設固定して構成する。
【００３６】
内刃支持枠５７に装着した内刃ユニット５８を前後移動不能に係合捕捉するためのロック機構が、内刃支持枠５７の内部に設けてある。図８においてロック機構は、前後に長いロックアーム７７と、ロックアーム７７を押し上げ付勢する圧縮コイル形のロックばね７８とからなる。
【００３７】
ロックアーム７７の前後端には、内刃フレーム７２を係合捕捉する係合爪７９を上向きに突設してある。内刃ユニット５８を装着部６７に差し込み装着した状態においては、ロックアーム７７の係合爪７９が内刃フレーム７２の両側部に係合する。これにより内刃ユニット５８は、前後、左右、上下の全方位へ移動不能に保持固定される。
【００３８】
外刃ホルダー１２は、前後一対の外刃１６およびセンター刃１７を支持する内ケース１２ｂと、内ケース１２ｂを支持する外ケース１２ａとに分けて構成する。図９および図１０に示すように、外ケース１２ａは門形に形成される左右一対の側枠８１と、側枠８１の下部どうしを繋ぐ前後の横枠８２とで上下面が開口する枠体状に形成する。左右に対向する両側枠８１の内面の中央上部には、内ケース１２ｂを係合装着するための第１係合凹部８３が形成されている。両側枠８１の内面の下面前後には、解除ボタン１９と一体形成した係合爪８５（図１５参照）で係合捕捉される第２係合凹部８４が形成されている。
【００３９】
図１０および図１１において内ケース１２ｂは、外ケース１２ａと同様に左右一対の側枠８６と、側枠８６の下部どうしを繋ぐ前後の横枠８７とで上下面が開口する枠体状に形成するが、全体を外ケース１２ａよりひと回り小さく形成する。両側枠８６の外側面には、先の第１係合部８３と係合する係合爪８８を一体に形成してある。
【００４０】
図１０に示すように、両側枠８６の内面上部には、固定外刃５１の両側端を支持する左右一対の刃支持部８９と、両刃支持部８９の突端から下向きに延びる縦壁９０と、両縦壁９０の下端から左右対向状に突設されるばね受アーム９１とを階段状に形成してある。両縦壁９０の対向面に固定外刃５１の取付ピース５４を係合するための突起９２が形成されている。
【００４１】
図１１に示すように、前後の横枠８７の対向面と、左右のばね受アーム９１の前後面のそれぞれには、外刃１６を装着するためのピン９４・９５を突設してある。横枠８７側のピン９４は３個ずつ、ばね受アーム９１側のピンは９５はそれぞれ２個ずつ形成する。ばね受アーム９１には、後述する付勢ピース１３２を上下スライドのみ自在に支持する下向きのガイド凹部９６が形成されている。
【００４２】
図１２および図１３に示すように、外刃１６の交換を容易化するために、前後の外刃１６は、シート状の網刃体９８と、網刃体９８を支持する外刃保持枠９９とでカセット化してある。外刃保持枠９９は、左右一対の側枠１０１と、側枠１０１の下部どうしを繋ぐ前後の横枠１０２とで上下面が開口する枠体状に形成してあり、センター刃１７と隣接する側の枠面に、外刃１６の湾曲姿勢を規定する刃受壁１０３が形成されている。
【００４３】
横枠１０２の前後面には、網刃体９８を溶着固定するためのピン１０４をそれぞれ４個ずつ形成してある。網刃体９８を逆Ｕ字状に湾曲したうえで、その前後縁に設けた穴をピン１０４に係合し、ピン１０４を溶着することにより、網刃体９８と外刃保持枠９９とを一体化しカセット化できる。このように外刃１６をカセット化すると、網刃体９８を外刃保持枠９９ごと内ケース１２ｂから取り外して網刃体９８を交換できるので、交換作業が簡便に行え、交換時に網刃体９８をいためることもない。横枠１０２および網刃体９８の前後端には、後述する緊張具を連結するための長穴１０５・１０６が形成されている。
【００４４】
図１４においてセンター刃１７は、内ケース１２ｂに固定される断面逆Ｕ字状の固定外刃５１と、固定外刃５１の内面に配置される断面逆Ｕ字状の可動内刃５２とで構成してある。固定外刃５１と可動内刃５２の歯面には、それぞれ逆Ｕ字状のスリット刃を形成してあり、両切刃のせん断作用によって、主として長毛やくせ毛を切断する。固定外刃５１の両端には取付ピース５４を溶着固定してあり、可動内刃５２の中央下面には連結片５３を溶着固定してある。取付ピース５４には、可動内刃５２をスライド案内する逆Ｕ字状のガイド部１０８と、係合脚片１０９と、固定外刃５１の左右両端を受け止める断面逆Ｕ字状の刃受部１１２とが一体に設けてある。
【００４５】
可動内刃５２を固定外刃５１に組み付けた状態で、取付ピース５４を固定外刃５１に溶着固定することにより、これら３者５１・５２・５４を分離不能に一体化して１個のユニット部品としてカセット化でき、従って、センター刃１７の交換をより少ない手間で行える。
【００４６】
センター刃１７は、内ケース１２ｂに対してケース上方から組み付るが、組み付け状態においては図１５に示すように、係合脚片１０９が内ケース１２ｂの縦壁９０に設けた突起９２と係合して、センター刃１７を内ケース１２ｂに対して分離不能に固定保持する。この組み付け状態において、刃受部１１２はその内面が刃支持部８９に支持され、さらに前後壁面が刃支持部８９の前後に設けた一対のガイド壁９３（図１１および図１３参照）で上下動のみ可能に案内支持してある。連結片５３には板ばね１１０を組み付けてあり、左右のばね腕をばね受アーム９１の上面で受け止めることにより、可動内刃５２の全体が固定外刃５１に押し付けられた状態で、左右スライドできる。不使用状態におけるセンター刃１７は、図１５に示すように、全体が板ばね１１０で押し上げられて、係合脚片１０９が突起９２で受け止められている。使用状態では、肌の凹凸に追従してセンター刃１７が上下動することで、センター刃１７による肌当たりを和らげることができる。連結片５３には受動溝１１１が形成してあり、受動溝１１１が振動子４８の駆動軸６８と係合することにより、駆動軸４９の左右往復動作を連結片５３を介して可動内刃５２に伝動できる。
【００４７】
センター刃１７による長毛やくせ毛の切断をより効果的に行うために、網刃体９８にスリット１００が形成されている。詳しくは、図１６に示すように、網刃体９８におけるシート面の殆どには、内刃１５と協同してひげ切断を行う網刃を形成するが、センター刃１７と対向する前後の網刃体９８のシート面にスリット１００を横列状に形成している（図９参照）。図１６において、網刃の形成領域を符号Ｚ１で示し、スリット１００の形成領域を符号Ｚ２で示した。
【００４８】
このように、センター刃１７と対向するシート面にスリット１００が横列状に形成されていると、長毛やくせ毛を切断する際に、その毛先側をスリット１００で捕捉して、センター刃１７による長毛やくせ毛の切断が効果的に行える。なお、スリット１００による長毛の捕捉をより確実に行うために、図９に示すように、スリット１００の列幅Ｂ１は、固定外刃５１におけるスリット刃の左右全幅Ｂ２より大きく設定してある。
【００４９】
外刃１６を上下動可能に支持し、かつ内刃１５に密着付勢するために、外刃ホルダー１２の内面前後と、前後中央の３箇所には、前ばねユニット１１３、中央ばねユニット１１４、後ばねユニット１１５からなる緊張具が設けられている。
【００５０】
図１２において前ばねユニット１１３は、左右に長い帯板状の付勢枠１１７と、付勢枠１１７を押し下げ付勢するばね体１１８とで構成する。付勢枠１１７はプラスチック成形品であり、その板面の前後には、ばね体１１８を固定するための４個のピン１１９と、外刃保持枠９９を係合連結するための４個の係合ピン１２０とが設けてある。付勢枠１１７の板面の左右３箇所には上下方向の長穴１２１を形成してある。
【００５１】
ばね体１１８は、ステンレス板材を素材とするプレス成形品からなり、付勢枠１１７を補強する左右に長い帯状の補強壁１２４と、補強壁１２４の上縁中央寄りから斜め上向きに折り曲げ形成される一対のばね腕１２５とで構成する。補強壁１２４の面壁には、先のピン１１９と係合する４個の穴１２６と、付勢枠１１７に設けた長穴１２１に対応する３個の長穴１２７とが通設してある。補強壁１２４を付勢枠１１７の片面に接合し、穴１２６に挿通したピン１１９の突端を溶融変形することにより、ばね体１１８と付勢枠１１７とを一体化して、付勢枠１１７を補強壁１２４で補強できる。
【００５２】
図１に示すように、付勢枠１１７およびばね体１１８の長穴１２１・１２７を、内ケース１２ｂの横枠８７内面に突設したピン９４で案内支持することにより、前ばねユニット１３を内ケース１２ｂで上下動自在に支持できる。ばね腕１２５の端部上面を横枠８７の内面に形成した段部１２９で受け止めることにより、前ばねユニット１３の全体が押し下げ付勢される。
【００５３】
後ばねユニット１１５は、前ばねユニット１１３と同じ構造であって、前ばねユニット１１３を前後に反転して使用するだけであるので、同じ部材に同じ符号を付してその説明を省略する。
【００５４】
図１１において中央ばねユニット１１４は、ばね受アーム９１のガイド凹部９６で上下スライド自在に案内支持される左右一対の付勢ピース１３２と、付勢ピース１３２を押し下げ付勢するばね体１３３とで構成する。付勢ピース１３２は、中央にばね受部１３４を備えたプラスチック成形品であり、ばね受部１３４の左右に突設した側壁１３５の前後面のそれぞれに、外刃保持枠９９を係合連結するための４個の係合ピン１３６を設けてある。ばね体１３３は圧縮コイル形のばねからなり、ばね受アーム９１のガイド凹部９６とばね受部１３４との間に配置されている。
【００５５】
ばね受アーム９１は、それぞれ片持ち梁状に形成してある。そこで、その前後面に補強板１３９を橋絡状に固定してばね受アーム９１の構造強度を増強している。図１１に示すように補強板１３９は、ステンレス板材を素材とする左右に長い帯状のプレス成形品からなり、板面の左右に溶着用の４個の穴１４０と、上下方向の４個の長穴１４１とを通設してある。付勢ピース１３２の係合ピン１３６を長穴１４１に係合したうえで、ガイド凹部９６内にばね体１３３を装填した状態で、補強板１３９をばね受アーム９１の前後面に接合し、補強板１３９の穴１４０に挿通したピン９５の突端を溶融変形することにより、補強板１３９がばね受アーム９１に固定され、同時に付勢ピース１３２をばね受アーム９１に対して分離不能に支持することができる。
【００５６】
図１５に示すように左右のばね受アーム９１は、左右間隔Ｗを介して対向するが、この左右間隔Ｗを利用して振動子４８の駆動軸６８を配置する。具体的には、外刃ホルダー１２を内刃支持枠５７に装着した状態において、駆動軸６８が左右間隔Ｗを縦通して連結片５３の受動溝１１１と係合し、振動子４８の往復動力を可動内刃５２に伝動できるように構成する。
【００５７】
この組み付け状態において、連結片５３および駆動軸６８の前後面は、図１６に示すようにそれぞれ補強板１３９と正対している。従って、センター刃１７に過大な負荷が作用し、駆動軸６８が前後にぐらつこうとするとき、その前後面を補強板１３９で受け止めて適正に往復動させることができる。
【００５８】
上記の各ばねユニット１１３・１１４・１１５を内ケース１２ｂに組み付けた状態で、外刃１６を内ケース１２ｂの下面側からケース内へはめ込み、網刃体９８および外刃保持枠９９の長穴１０５・１０６を、例えば前ばねユニット１１３の係合ピン１２０にはめ込む。その状態で、外刃保持枠９９の後側の横枠１０２を弾性変形させながら、長穴１０５・１０６を付勢ピース１３２の係合ピン１３６に係合して、外刃１６を内ケース１２ｂに装着する。後側の外刃１６も同様の要領で内ケース１２ｂに装着する。
【００５９】
内ケース１２ｂを外ケース１２ａに対して下面側から装着することにより、その側枠８６の外面に設けた係合爪８８が、外ケース１２ａの側枠８１の内面に設けた第１係合部８３と係合して、両ケース１２ａ・１２ｂを一体化できる。このように、外刃ホルダー１２が、外ケース１２ａと内ケース１２ｂとで構成されていると、内ケース１２ｂと、同ケース１２ｂに組まれた前後の外刃１６、およびセンター刃１７を、ひとつのユニット部品として交換できるのはもちろんのこと、前後の外刃１６と、センター刃１７の三者を個別に交換することができるので、各部材の損耗状況や破損状況に応じて必要な部材のみを交換できて経済的である。また、外刃１６、センター刃１７、内ケース１２ｂの三者を分解することにより、これらの清掃を簡便に行えることにもなる。
【００６０】
図１に示すように、外刃ホルダー１２を内刃支持枠５７に装着した状態においては、各ばねユニット１１３・１１４・１１５のばね体１１８・１３３が弾性変形しており、これらばね体１１８・１３３の弾性力によって外刃支持枠９９の前後縁のいずれもが下向きに押し下げ付勢されるので、網刃体９８の湾曲部分を内刃１５の外面に密着できる。このとき、係合ピン１２０・１３６は、網刃体９８、および外刃支持枠９９の長穴１０５・１０６の穴下端に接当している。
【００６１】
つまり、付勢枠１１７と外刃保持枠９９、および付勢ピース１３２と外刃保持枠９９とは、それぞれ外刃保持枠９９が下降移動する向きにのみ相対移動できる状態で連結されている。しかし、各ばね体１１８・１３３は既に弾性変形した状態になっているので、網刃体９８の張力や姿勢等が変化するときは、これらの変化に応じてばね体１１８・１３３が上下に変位して、姿勢変動などを直ちに吸収する。一組の付勢ピース１３２で前後の網刃体９８を同時に緊張付勢すると、前後の網刃体９８を個別に緊張付勢する場合に比べて、中央ばねユニット１１４の構成部品点数が減り、その分だけ製造コストを削減できる。
【００６２】
図１７に示すように、外刃ホルダー１２を内刃支持枠５７から取り外した状態においては、付勢枠１１７および付勢ピース１３２のそれぞれがばね体１１８・１３３で押し下げられて、長穴１２１の内面上端がピン９４で受け止められ、付勢ピース１３２に設けた係合ピン１３６が補強枠１３９に設けた長穴１４１の下端で受け止められている。さらに、前後の外刃１６は自重で下降するため、外刃保持枠９９に設けた前後の長穴１０５の内面上端が、付勢枠１１７および付勢ピース１３２の係合ピン１２０・１３６で受け止められている。この状態の外刃ホルダー１２を内刃支持枠５７に装着すると、図１に示すように、外刃１６が内刃１５で受け止められ、各ばね体１１８・１３３が弾性変形されて、網刃体９８を内刃１５に密着できる。
【００６３】
図１８は外刃緊張構造の別実施例を示す。図１８（ａ）は、中央ばねユニット１１４が、前後一対ずつの付勢ピース１３２と、ばね体１３３とで構成され、前後の外刃支持枠９９が前後の付勢ピース１３２で個別に緊張付勢できるようにしてあり、この点が先の実施例と異なる。このように、前後の外刃支持枠９９を個別に設けられた付勢ピース１３２で押し下げ付勢すると、前後の外刃１６の姿勢や緊張力の変動の吸収をさらに的確に行える。他は先の実施例と同じであるので、同じ部材に同じ符号を付して、その説明を省略する。以下においても同様に扱う。
【００６４】
図１８（ｂ）は、３組の内刃１５および外刃１６が前後に隣接配置された電気かみそりを示す。そこでは中央の内刃１５および外刃１６と、前後の内刃１５および外刃１６との間に、２組の中央ばねユニット１１４を配置して、各外刃１６の前後縁を前後のばねユニット１１３・１１５と、２組の中央ばねユニット１１４で緊張付勢した点が先の実施例とは異なる。この場合の中央ばねユニット１１４は、図１に示す構造としたが、図１８（ａ）に示す構造であってもよい。
【００６５】
上記の実施例以外に、外刃ホルダー１２は１個の独立部品で構成することができ、実施例で説明したように外ケース１２ａと内ケース１２ｂとで構成する必要はない。前後のばねユニット１１３・１１５のばねは、板ばねである必要はなく、圧縮コイルばねや捻りコイルばねを適用できる。必要に応じて、付勢枠１１７に一体形成した弾性アームで外刃１６を緊張付勢してもよい。外刃保持枠９９は左右一対の側枠１０１のうち、片方の側枠１０１を省略してコ字枠状に形成することができる。
【図面の簡単な説明】
【図１】外刃の緊張構造を示す概略断面図である。
【図２】電気かみそりの正面図である。
【図３】電気かみそりの側面図である。
【図４】電気かみそりの分解正面図である。
【図５】かみそりヘッドの縦断正面である。
【図６】かみそりヘッドの中央縦断正面である。
【図７】かみそりヘッドの動力伝動系を省略した分解正面図である。
【図８】内刃ユニットの取付構造を示す縦断側面図である。
【図９】外刃ホルダーの分解斜視図である。
【図１０】外刃ホルダーとセンター刃の関係を示す分解断面図である。
【図１１】内ケースと中央ばねユニットの分解斜視図である。
【図１２】外刃の分解斜視図である。
【図１３】外刃の緊張構造を示す分解断面図である。
【図１４】センター刃の分解斜視図である。
【図１５】センター刃の駆動構造を示す縦断正面図である。
【図１６】外刃とセンター刃の関係構造を示す縦断側面図である。
【図１７】かみそりヘッドから取り外した外刃ホルダーの縦断側面図である。
【図１８】外刃の緊張構造の別実施例を示す概略断面図である。
【符合の説明】
２  かみそりヘッド
１２  外刃ホルダー
１２ａ  外ケース
１２ｂ  内ケース
１５  内刃
１６  外刃
１７  センター刃
４８  振動子
５３  連結片
６８  駆動軸
９１  ばね受アーム
９８  網刃体
９９  外刃保持枠
１１３  前ばねユニット
１１４  中央ばねユニット
１１５  後ばねユニット
１１７  付勢枠
１１８  ばね体
１２４  補強壁
１２５  ばね腕
１３２  付勢ピース
１３３  ばね体
１３９  補強板
【図１】
2004236836.tif 000003
【図２】
2004236836.tif 000004
【図３】
2004236836.tif 000005
【図４】
2004236836.tif 000006
【図５】
2004236836.tif 000007
【図６】
2004236836.tif 000008
【図７】
2004236836.tif 000009
【図８】
2004236836.tif 000010
【図９】
2004236836.tif 000011
【図１０】
2004236836.tif 000012
【図１１】
2004236836.tif 000013
【図１２】
2004236836.tif 000014
【図１３】
2004236836.tif 000015
【図１４】
2004236836.tif 000016
【図１５】
2004236836.tif 000017
【図１６】
2004236836.tif 000018
【図１７】
2004236836.tif 000019
【図１８】
2004236836.tif 000020